(57)【要約】      （修正有）【課題】意思伝達できない被介護者にも適用可能な車椅子を提供する。【解決手段】車椅子１は、被介護者が着座するための座面２と、被介護者の背中を支持する背もたれ３と、を備え、座面２には、着座した被介護者の排便部位に対応する位置に貫通穴２ａが形成されている。座面２の下の貫通穴２ａに対応する位置に設けられ、所定の重さ以上の物体が載置されたか否かを検知する重量センサと、重量センサに所定の重さ以上の物体が載置された場合、その旨を報知する報知装置と、をさらに備える。【選択図】図１
0003217320.tif 000002
【実用新案登録請求の範囲】
【請求項１】
被介護者が着座するための座面と、
被介護者の背中を支持する背もたれと、
を備えた車椅子において、
前記座面には、着座した被介護者の排便部位に対応する位置に貫通穴が形成されていることを特徴とする車椅子。
【請求項２】
前記座面の下の前記貫通穴に対応する位置に設けられ、所定の重さ以上の物体が載置されたか否かを検知する重量センサと、
前記重量センサに前記所定の重さ以上の物体が載置された場合、その旨を報知する報知装置と、
をさらに備えることを特徴とする請求項１に記載の車椅子。
【請求項３】
前記重量センサを地面から所定の高さに支持する下方支持部材をさらに備え、
前記背もたれは、前記座面との境界に沿って伸びる軸の周りに、前記下方支持部材と独立して、前記被介護者の後方に回転可能であり、
前記座面は、前記背もたれの回転に伴って、前記下方支持部材に対して持ち上がることを特徴とする請求項２に記載の車椅子。
【請求項４】
前記背もたれを支持する背面支持フレームには、前記背もたれが後方に回転した場合に地面に接触しないように背面支持フレームを支持する後方支持部材が取り付けられていることを特徴とする請求項３に記載の車椅子。
【請求項５】
前記背面支持フレームには、前記被介護者の頭部を支持するヘッドレストが取り付けられていることを特徴とする請求項４に記載の車椅子。
【請求項６】
採尿カテーテルを収納する袋をさらに備えることを特徴とする請求項１〜５のいずれかに記載の車椅子。
【考案の詳細な説明】
【技術分野】
【０００１】  本考案は、車椅子に関し、特に、意思伝達できない被介護者にも適用可能な車椅子に関する。
【背景技術】
【０００２】  被介護者の中には、発声等により意思伝達できない被介護者も存在する。そのような被介護者が車椅子での移動中に用便をした場合、その旨を介護者に伝えることができないため、自身で排泄物を処理できずに、長時間不快感にさらされるおそれがある。
【考案の概要】
【考案が解決しようとする課題】
【０００３】  本考案は、上記の問題点を解決するためになされたもので、意思伝達できない被介護者にも適用可能な車椅子を実現することを課題とする。
【課題を解決するための手段】
【０００４】  上記の課題を解決するために、本考案に係る車椅子は、被介護者が着座するための座面と、被介護者の背中を支持する背もたれと、を備えた車椅子において、前記座面には、着座した被介護者の排便部位に対応する位置に貫通穴が形成されていることを特徴とする。【０００５】  本考案に係る車椅子は、前記座面の下の前記貫通穴に対応する位置に設けられ、所定の重さ以上の物体が載置されたか否かを検知する重量センサと、前記重量センサに前記所定の重さ以上の物体が載置された場合、その旨を報知する報知装置と、をさらに備えることが好ましい。【０００６】  本考案に係る車椅子は、前記重量センサを地面から所定の高さに支持する下方支持部材をさらに備え、前記背もたれは、前記座面との境界に沿って伸びる軸の周りに、前記下方支持部材と独立して、前記被介護者の後方に回転可能であり、前記座面は、前記背もたれの回転に伴って、前記下方支持部材に対して持ち上がることが好ましい。【０００７】  本考案に係る車椅子では、前記背もたれを支持する背面支持フレームには、前記背もたれが後方に回転した場合に地面に接触しないように背面支持フレームを支持する後方支持部材が取り付けられていることが好ましい。【０００８】  本考案に係る車椅子では、前記背面支持フレームには、前記被介護者の頭部を支持するヘッドレストが取り付けられていることが好ましい。【０００９】  本考案に係る車椅子は、採尿カテーテルを収納する袋をさらに備えることが好ましい。
【考案の効果】
【００１０】  本考案に係る車椅子では、被介護者が用便をした場合、便が座面の貫通穴を介して座面の下方に落下する。そのため、便が被介護者の肌に付着せず、被介護者は長時間不快感にさらされることはない。よって、意思伝達できない被介護者にも適用可能な車椅子を実現できる。
【図面の簡単な説明】
【００１１】
【図１】車椅子の斜め前方からの斜視図。
【図２】車椅子の斜め後方からの斜視図。
【図３】車椅子の部分拡大斜視図。
【図４】車椅子の部分拡大断面図。
【図５】車椅子の部分拡大断面図。
【図６】車椅子の側面図。
【図７】車椅子の側面図。
【図８】車椅子の部分拡大正面図。
【考案を実施するための形態】
【００１２】  本考案の一実施形態について説明する。
【００１３】  図１は、本実施形態に係る車椅子１の斜め前方からの斜視図であり、図２は、車椅子１の斜め後方からの斜視図である。本実施形態では、被介護者が着座したときの被介護者の正面方向を前方とする。
【００１４】  車椅子１は、被介護者が着座するための座面２と、被介護者の背中を支持する背もたれ３とを備える。座面２は、被介護者の両側に前後方向に延びる側方支持フレーム１１の間に張架されている。背もたれは、被介護者の両側に略上下方向に延びる背面支持フレーム１２の間に張架されている。座面２には、着座した被介護者の排便部位に対応する位置に貫通穴２ａが形成されている。被介護者は、座面２に着座する場合、排便部位に穴が形成された下着を着用するか、本考案者が考案した介護用のおむつ（実用新案登録第３１８４５２０号）を着用する。
【００１５】  図３は、車椅子１の部分拡大斜視図である。同図に示すように、座面２の下方には、容器４が設けられている。図４は、車椅子１の部分拡大断面図である。同図に示すように、容器４の内部には、シート状の重量センサ５が敷設されている。
【００１６】  重量センサ５は、貫通穴２ａに対応する位置に設けられ、所定の重さ（例えば５０ｇ）以上の物体が載置されたか否かを検知する。容器４の下方には、マイコン６が設けられている。マイコン６は、配線７を介して重量センサ５に接続されており、他の配線を介して報知装置（図示省略）に接続されている。マイコン６は、重量センサ５および報知装置を制御するコンピュータであり、重量センサ５に所定の重さ以上の物体が載置された場合、報知装置がその旨を報知するように制御する。例えば、報知装置がＬＥＤランプである場合、ＬＥＤランプを点灯させる。重量センサ５を収容した容器４およびマイコン６は、下方支持部材８によって地面から所定の高さに支持されている。下方支持部材８は、図１に示すように、補助車輪２１によって滑らかに走行することができる。
【００１７】  以上の構成により、被介護者が用便をした場合、便が座面２の貫通穴２ａを介して座面２の下方に落下する。そのため、便が被介護者の肌に付着せず、被介護者は長時間不快感にさらされることはない。さらに、図４に示す重量センサ５上に用便が載置されることにより、報知装置がその旨を報知する。これにより、介護者は被介護者が用便をしたことに気づくことができ、早急に用便処理を行うことができる。
【００１８】  なお、被介護者が上記の介護用のおむつを着用している場合、おむつの拡張部分を貫通穴２ａを介して容器４に収容させる。あるいは、図５に示すように、使い捨てのシート９を容器４の内面に被覆させてもよい。これにより、座面２、容器４および重量センサ５への汚れの付着を防止することができる。
【００１９】  さらに、本実施形態に係る車椅子１は、被介護者の車椅子１からの移送や用便処理を容易にするための機構を備えている。具体的には、図１および図２に示す背もたれ３が、座面２との境界に沿って伸びる軸１３の周りに、下方支持部材８と独立して、被介護者の後方に回転可能となっている。軸１３は、側方支持フレーム１１と背面支持フレーム１２との２つの接続部間を繋ぐものであり、軸受１４に接続されている。軸受１４は、主輪２２の軸受２３の上方に設けられている。一方、下方支持部材８は、図２に示すように、軸受２３を繋ぐ軸２４に接続されている。
【００２０】  図６の矢印に示すように、介護者が取手１５を後方に引くことにより、背もたれ３が軸１３の周り（図６では右回り）に回転する。背もたれ３の回転に伴って、座面２も背もたれ３との角度を保ちながら回転する。これにより、図７に示すように、背もたれ３は地面に対して略水平になり、座面２は下方支持部材８に対して持ち上がる。これにより、座面２に覆われていた容器４の上方空間が開放されるため、介護者は、座面２の下方から容器４を取り出すことなく、容器４内の用便等を容易に取り出すことができる。
【００２１】  また、背面支持フレーム１２には、背もたれ３が後方に回転した場合に地面に接触しないように背面支持フレーム１２を支持する後方支持部材１６が取り付けられている。図２に示すように、後方支持部材１６は、接続部１７を介して背面支持フレーム１２に回動自在に取り付けられており、背面支持フレーム１２の地面に対する角度に関わらず、常に下向きにぶら下がっている。そのため、背もたれ３が後方に回転しても、後方支持部材１６は地面に対して垂直に指向し続ける。そして、図７に示すように、背もたれ３が地面に対して略水平になった時点で、後方支持部材１６の先端が地面に当接する。これにより、背面支持フレーム１２が地面に接触することが防止され、被介護者の胴体が略水平の状態で静止させることができる。このとき、被介護者の下半身は胴体よりも高くなり、介護者が抱きかかえ易い体勢となるため、介護者は、被介護者を車椅子１からベッド等に容易に移送することができる。
【００２２】  さらに、図１および図２に示すように、背面支持フレーム１２には、被介護者の頭部を支持するヘッドレスト１８が取り付けられている。これにより、図７に示すように、背もたれ３が後方に倒されて略水平となった状態において、被介護者の頭部が支持されるため、頭部が下向きに反り返ることを防止できる。
【００２３】  また、図１に示すように、車椅子１は袋１９をさらに備えている。袋１９は、図８に示すように、採尿カテーテル２０を収納することができる。袋１９を設ける位置は特に限定されないが、本実施形態では、座面２の前方の前方支持フレーム１０に袋１９が取り付けられている。
【符号の説明】
【００２４】１    車椅子
２    座面
２ａ  貫通穴
３    背もたれ
４    容器
５    重量センサ
６    マイコン
７    配線
８    下方支持部材
９    シート
１０  前方支持フレーム
１１  側方支持フレーム
１２  背面支持フレーム
１３  軸
１４  軸受
１５  取手
１６  後方支持部材
１７  接続部
１８  ヘッドレスト
１９  袋
２０  採尿カテーテル
２１  補助車輪
２２  主輪
２３  軸受
【図１】
0003217320.tif 000003
【図２】
0003217320.tif 000004
【図３】
0003217320.tif 000005
【図４】
0003217320.tif 000006
【図５】
0003217320.tif 000007
【図６】
0003217320.tif 000008
【図７】
0003217320.tif 000009
【図８】
0003217320.tif 000010